(57)【要約】本発明は、第１のバス（Ａ）と第３のバス（Ｃ）の間にリンクが設けられ、このリンクが第１のバスに接続された第１のポータル及び第３のバスに接続された第２のポータルによって実現され、このリンクが対応したブリッジ（Ｉ，ＩＩ）を介して第１のバス及び第３のバスに接続された第２のバス（Ｂ）としてモデル化されている、ネットワークにおける遠隔タイムアウトパラメータを決定する方法に係り、この方法は、第１のブリッジポータルのレベルで、要求サブアクションに対する第１のブリッジポータルのタイムアウト寄与部分を求める際に、要求サブアクションの宛先ノードがリンク上に存在するかどうかを決定する手順（ａ）と、存在する場合に、第１のブリッジポータルの最大要求サブアクション処理時間及びリンクの最大伝送時間をタイムアウト寄与部分に加算する手順（ｂ）と、存在しない場合に、第１のブリッジポータルの最大要求サブアクション処理時間及びリンクの最大伝送時間の半分をタイムアウト寄与部分に加算する手順（ｃ）と、を有する。本発明は、上述の方法と類似した応答サブアクションに対するブリッジのタイムアウト寄与部分を決定する方法にも関係する。
2004515095.tif 000002
【特許請求の範囲】
【請求項１】
第１のバス（Ａ）と第３のバス（Ｃ）の間にリンクが設けられ、このリンクが第１のバスに接続された第１のポータル及び第３のバスに接続された第２のポータルによって実現され、このリンクが対応したブリッジ（Ｉ，ＩＩ）を介して第１のバス及び第３のバスに接続された第２のバス（Ｂ）としてモデル化されている、ネットワークにおける遠隔タイムアウトパラメータを決定する方法であって、
第１のブリッジポータルのレベルで、要求サブアクションのタイムアウトに対する第１のブリッジポータルの寄与部分を求める際に、
要求サブアクションの宛先ノードがリンク上に存在するかどうかを決定する手順（ａ）と、
宛先ノードがリンク上に存在する場合に、第１のブリッジポータルの最大要求サブアクション処理時間及びリンクの最大伝送時間をタイムアウト寄与部分に加算する手順（ｂ）と、
宛先ノードがリンク上に存在しない場合に、第１のブリッジポータルの最大要求サブアクション処理時間及びリンクの最大伝送時間の半分をタイムアウト寄与部分に加算する手順（ｃ）と、
を有する方法。
【請求項２】
手順（ｃ）において更に、第２のブリッジポータルが、第２のブリッジポータルの寄与部分として、固有の最大要求サブアクション処理時間及び無線リンクの最大伝送時間の半分を加算する、請求項１記載の方法。
【請求項３】
リンクは、ＨｉｐｅｒＬＡＮ／２方式無線ネットワークである、請求項１又は２記載の方法。
【請求項４】
無線リンクの最大伝送時間は、ポータルのＨｉｐｅｒＬＡＮ／２のＩＥＥＥ　１３９４　ＳＳＣＳのスプリットタイムアウトレジスタ値の半分と一致する、請求項３記載の方法。
【請求項５】
ブリッジからのタイムアウト寄与部分は、タイムアウト要求メッセージによって求められる、請求項１乃至４のうち何れか一項記載の方法。
【請求項６】
手順（ｂ）において更に、第１のブリッジポータルは、第１のポータルのＨｉｐｅｒＬＡＮ／２のＩＥＥＥ　１３９４　ＳＳＣＳのスプリットタイムアウトレジスタ値に応じた値を、タイムアウト要求メッセージの遠隔スプリットタイムアウトフィールドに設定する、請求項５記載の方法。
【請求項７】
第１のバス（Ａ）と第３のバス（Ｃ）の間にリンクが設けられ、このリンクが第１のバスに接続された第１のポータル及び第３のバスに接続された第２のポータルによって実現され、このリンクが対応したブリッジ（Ｉ，ＩＩ）を介して第１のバス及び第３のバスに接続された第２のバス（Ｂ）としてモデル化されている、ネットワークにおける遠隔タイムアウトパラメータを決定する方法であって、
第１のブリッジポータルのレベルで、応答サブアクションのタイムアウトに対する第１のブリッジポータルの寄与部分を求める際に、
応答サブアクションの宛先ノードがリンク上に存在するかどうかを決定する手順（ａ）と、
宛先ノードがリンク上に存在する場合に、第１のブリッジポータルの最大応答サブアクション処理時間及びリンクの最大伝送時間をタイムアウト寄与部分に加算する手順（ｂ）と、
宛先ノードがリンク上に存在しない場合に、第１のブリッジポータルの最大応答サブアクション処理時間及びリンクの最大伝送時間の半分をタイムアウト寄与部分に加算し、メッセージを第２のブリッジポータルへ転送する手順（ｃ）と、を有する方法。
【請求項８】
手順（ｃ）において更に、第２のブリッジポータルが、第２のブリッジポータルの寄与部分として、固有の最大応答サブアクション処理時間及び無線リンクの最大伝送時間の半分を加算する、請求項７記載の方法。
【請求項９】
リンクは、ＨｉｐｅｒＬＡＮ／２方式ネットワークである、請求項７又は８記載の方法。
【請求項１０】
無線リンクの最大伝送時間は、ポータルのＨｉｐｅｒＬＡＮ／２のＩＥＥＥ　１３９４　ＳＳＣＳのスプリットタイムアウトレジスタ値の半分と一致する、請求項９記載の方法。
【発明の詳細な説明】
【０００１】
本発明は、通信ネットワーク、特に、２本のＩＥＥＥ　１３９４バスに接続するリンクを含むネットワークにおけるタイムアウト遅延を決定する方法に関する。
【０００２】
応答タイムアウト問題は、多数の規格若しくは起草規格で以下のように取り扱われている。
【０００３】
（ａ）有線ＩＥＥＥ　１３９４−１９９５バス環境の場合
スプリット型トランザクションは、要求サブアクションと、同じトランザクション・ラベル（即ち、トランザクションの識別子）を使用する後続の応答サブアクションとによって特徴付けられる。
【０００４】
スプリットタイムアウト（ＳＰＬＩＴ＿ＴＩＭＥＯＵＴ）制御及び状態レジスタの値は、特定のＩＥＥＥ　１３９４ノードに対する最大期間を指定し、その最大期間内に、要求に対する応答が生成され、送信される必要がある。指定された期間（又は、ＩＥＥＥ　１３９４ａ標準に規定されているような２倍の期間）が応答の送信のないまま経過した場合、完全なトランザクションは失敗し、トランザクション・ラベルは、要求側ノードによって再使用（再生利用）され得る。
【０００５】
参考文献：高性能シリアルバス（ＩＥＥＥ　１３９４−１９９５）のためのＩＥＥＥ標準、ＩＥＥＥ　ニューヨーク、１９９６（ＩＥＥＥ Ｓｔａｎｄａｒｄ ｆｏｒ ａ Ｈｉｇｈ Ｐｅｒｆｏｒｍａｎｃｅ Ｓｅｒｉａｌ Ｂｕｓ（ＩＥＥＥ １３９４−１９９５）， ＩＥＥＥ Ｎｅｗ Ｙｏｒｋ， １９９６）。
【０００６】
参考文献：高性能シリアルバス−修正案１（ＩＥＥＥ　１３９４Ａ−２０００）のためのＩＥＥＥ標準（ＩＥＥＥ Ｓｔａｎｄａｒｄ ｆｏｒ ａ Ｈｉｇｈ Ｐｅｒｆｏｒｍａｎｃｅ Ｓｅｒｉａｌ Ｂｕｓ− Ａｍｅｎｄｍｅｎｔ １ （ＩＥＥＥ１３９４Ａ−２０００）， ＩＥＥＥ Ｎｅｗ Ｙｏｒｋ， ２０００）。
【０００７】
（ｂ）ＢＲＡＮ　ＨｉｐｅｒＬＡＮ／２　１３９４　ＳＳＣＳ（サービス・スペシフィック・コンバージェンス・サブレイヤ）
ＢＲＡＮ　ＨｉｐｅｒＬＡＮ／２　ＩＥＥＥ　１３９４　サービス・スペシフィック・コンバージェンス技術仕様書には、ＨｉｐｅｒＬＡＮ／２（ＨＬ２）リンクが仮想ＩＥＥＥ１３９４バスとしてモデル化され得ることが記載されている。したがって、ＨＬ２スプリット型タイムアウトは、ＩＥＥＥ標準１３９４−１９９５スプリット型タイムアウトと類似した形式で規定されるが、デフォルト値は１００ｍｓではなく２００ｍｓである。
【０００８】
送信側ポータルでのアルゴリズムは、このＳＰＬＩＴ＿ＴＩＭＥＯＵＴ値を使用して、ＨＬ２無線リンクを介して送信することが予定されている特定の非同期要求又は応答毎に存続期間（ｔｉｍｅ＿ｏｆ＿ｌｉｆｅ）パラメータを定義する。存続期間パラメータは、ｈ同期パケット毎に添付された終了時間（ｔｉｍｅ＿ｏｆ＿ｄｅａｔｈ）ラベルに変換される。この終了時間ラベルは、パケットの予定された寿命に到達している場合に、無線リンク上のこのパケットの受信側に、このパケットを廃棄するように知らせる。ＳＳＣＳ文書によって規定されたＳＰＬＩＴ＿ＴＩＭＥＯＵＴレジスタのフォーマットは、ＩＥＥＥ　１３９４−１９９５仕様書及びＩＥＥＥ　１３９４ａ−２０００仕様書に規定されたフォーマットとは多少の相違がある。
【０００９】
参考文献：ＩＥＥＥ　１３９４サービス・スペシフィック・コンバージェンス・サブレイヤ（ＤＴＳ／ＢＲＡＮ−００２４０００４−３　Ｖ１．１．１）、ＥＴＳＩプロジェクト・ブロードバンド・ラジオ・アクセス・ネットワーク（ＢＲＡＮ）、ソフィア　アンチポリス、２０００年９月（ＩＥＥＥ １３９４ Ｓｅｒｖｉｃｅ Ｓｐｅｃｉｆｉｃ Ｃｏｎｖｅｒｇｅｎｃｅ Ｓｕｂｌａｙｅｒ （ＤＴＳ／ＢＲＡＮ−００２４０００４−３ Ｖ１．１．１）， ＥＴＳＩ Ｐｒｏｊｅｃｔ Ｂｒｏａｄｂａｎｄ Ｒａｄｉｏ Ａｃｃｅｓｓ Ｎｅｔｗｏｒｋｓ（ＢＲＡＮ）， Ｓｏｐｈｉａ Ａｎｔｉｐｏｌｉｓ， Ｓｅｐｔ．２０００）。
【００１０】
（ｃ）ＩＥＥＥ　Ｐ１３９４．１ブリッジ環境における提案
ブリッジ環境では伝送遅延がより長くなるので、スプリット型トランザクションがバス間のブリッジを通過する予定であるならば、上述の簡単なスピリット型タイムアウト機構は使用できなくなる。パラメータｓｐｌｉｔ＿ｔｉｍｅｏｕｔの代わりに、パラメータｒｅｍｏｔｅ＿ｔｉｍｅｏｕｔが定義される。
【００１１】
ＩＥＥＥ　Ｐ１３９４．１ブリッジ環境におけるパラメータｒｅｍｏｔｅ＿ｔｉｍｅｏｕｔは、タイムアウト（ＴＩＭＥＯＵＴ）ブリッジ管理メッセージと呼ばれるメッセージを、特定のオペレーションコードｔｉｍｅｏｕｔと共に、仮想ノード識別子へ送信することによって決定される。仮想ノード識別子は宛先ノードを表現する。宛先ノードは、要求側ノードと同じバス上に存在しないので、要求側ノードのバス上で物理的な識別子が付与されていない。このパケットに応答して、要求側ノードは、介在する全ブリッジの累積最大遅延時間を受信する。
【００１２】
ドラフトＩＥＥＥ　Ｐ１３９４．１は、ブリッジにおいて、様々な要求用遅延時間（ＭＡＸ＿ＲＱ＿ＦＯＲＷＡＲＤ＿ＴＩＭＥ）及び応答用遅延時間（ＭＡＸ＿ＲＥＳＰ＿ＦＯＲＷＡＲＤ＿ＴＩＭＥ）を区別する。これらの時間は、実施態様に依存し、ブリッジの製造者によって与えられなければならない。
【００１３】
タイムアウト（ＴＩＭＥＯＵＴ）ブリッジ管理メッセージは、Ｐ１３９４．１ドラフトＤ０．１１のセクション６．７に記載されている。セクション４．２には全体的な処理が記載されている。
【００１４】
参考文献：ＩＥＥＥドラフト　高性能シリアルバスブリッジ標準（ＩＥＥＥ　Ｐ１３９４．１　バージョン０．１１）ＩＥＥＥ　１３９１．１　ワーキンググループ（ＩＥＥＥ Ｄｒａｆｔ Ｓｔａｎｄａｒｄ ｆｏｒ Ｈｉｇｈ Ｐｅｒｆｏｒｍａｎｃｅ Ｓｅｒｉａｌ Ｂｕｓ Ｂｒｉｄｇｅｓ （ＩＥＥＥ Ｐ１３９４．１ Ｖｅｒｓ．０．１１） ＩＥＥＥ １３９１．１ ｗｏｒｋｉｎｇ ｇｒｏｕｐ）（この標準は未承認である。）。
【００１５】
以上の点に鑑みて、以下の問題を解決する必要がある。
【００１６】
ＨＬ２ネットワークのようなリンクがＩＥＥＥ１３９４バスとなっているとき、ＨＬ２無線ブリッジは、ＩＥＥＥ１３９４ブリッジを認識しているＩＥＥＥ１３９４ブリッジ適応型ノードを無線で相互接続するため使用される。二つのブリッジ適応型ノードがＨＬ２経由で非同期パケットを交換するとき、非同期パケットは二つのブリッジを越える。したがって、ノードは二つの無線ブリッジ並びにＨＬ２伝送時間を考慮した遠隔タイムアウトを使用しなければならない。
【００１７】
尚、用語「リンク」は、単なるポイント・ツー・ポイントのリンクではなく、無線（若しくは有線）ネットワークの適切な構造を表している。
【００１８】
本発明は、第１のバスと第３のバスの間にリンクが設けられ、このリンクが第１のバスに接続された第１のポータル及び第３のバスに接続された第２のポータルによって実現され、このリンクが対応したブリッジを介して第１のバス及び第３のバスに接続された第２のバスとしてモデル化されている、ネットワークにおける遠隔タイムアウトパラメータを決定する方法に係り、この方法は、第１のブリッジポータルのレベルで、要求サブアクションに対する第１のブリッジポータルのタイムアウト寄与部分を求める際に、要求サブアクションの宛先ノードがリンク上に存在するかどうかを決定する手順（ａ）と、存在する場合に、第１のブリッジポータルの最大要求サブアクション処理時間及びリンクの最大伝送時間をタイムアウト寄与部分に加える手順（ｂ）と、存在しない場合に、第１のブリッジポータルの最大要求サブアクション処理時間及びリンクの最大伝送時間の半分をタイムアウト寄与部分に加える順（ｃ）と、を有する。
【００１９】
未来の要求サブアクションに関するタイムアウト間隔への寄与部分を特定するように求められた場合、ポータルは、要求サブアクションの宛先ノードが無線リンク上に存在するかどうかを検査する。この質問に対する回答に応じて、ポータルは、そのポータルの固有の処理若しくは転送時間の他に、リンク最大伝送時間の半分又は全部を寄与部分に加えるかどうかを決定する。実際には、要求サブアクションが、最大伝送時間の残り半分を寄与部分に加える（或いは、既に加えていた）ピアポータルへ転送されるか、若しくは、ピアポータルから到来することが予想される場合、最大伝送時間の半分だけが加えられる。この処理は要求サブアクションに対するタイムアウトの寄与部分を決定することに関する。対称性のある解決手法は応答サブアクションに適用される。
【００２０】
本発明の特徴及び効果は、様々なタイムアウト寄与部分を含む本発明の一実施例のネットワークを図式的に表す一つの図面を用いて説明された本発明の好ましい一実施例の記述によって明らかになるであろう。
【００２１】
本発明によるＨｉｐｅｒＬＡＮ／２バスブリッジのタイムアウト処理は、以下の通り実行される。
【００２２】
図１に示されるように、ＨｉｐｅｒＬＡＮバスブリッジは、通常、一方のポータルが有線ＩＥＥＥ１３９４バスに接続され、他方のポータルが無線ＨｉｐｅｒＬＡＮ／２ネットワークに接続されている。Ｐ１３９４．１方式ブリッジとの互換性を実現するため、ＨｉｐｅｒＬＡＮ／２方式ブリッジは、先に説明したタイムアウト・ブリッジ管理メッセージを処理可能でなければならない。
【００２３】
尚、本発明は、図１に示された状況とは異なる状況にも適用可能である。特に、リンクは、無線リンクでなくても構わない。
【００２４】
このため、ＨｉｐｅｒＬＡＮ／２準拠式の各バスブリッジは、タイムアウトメッセージのＭＡＸ＿ＲＱ＿ＦＯＲＷＡＲＤ＿ＴＩＭＥパラメータおよびＭＡＸ＿ＲＥＳＰ＿ＦＯＲＷＡＲＤ＿ＴＩＭＥパラメータの値を設定することが必要である。
【００２５】
パラメータＭＡＸ＿ＲＱ＿ＦＯＲＷＡＲＤ＿ＴＩＭＥは、要求側ノードから宛先ノードまでのルート上の各ブリッジが時間内に要求サブアクションを次のブリッジへ転送するために割り付けられたタイムリミットの合計を表わす。同様に、パラメータＭＡＸ＿ＲＥＳＰ＿ＦＯＲＷＡＲＤ＿ＴＩＭＥは、応答サブアクションのためのタイムリミットの合計を表す。これらの二つの時間は異なっていても構わない。
【００２６】
次に、ＭＡＸ＿ＲＱ＿ＦＯＲＷＡＲＤ＿ＴＩＭＥパラメータおよびＭＡＸ＿ＲＥＳＰ＿ＦＯＲＷＡＲＤ＿ＴＩＭＥパラメータの値を計算する方法を説明する。
【００２７】
（１）と（２）の２通りのケースが考えられる。
【００２８】
（１）有線ブリッジ適応型装置は、ＨＬ２バスに接続されたＨＬ２方式無線装置へパケットを送信する。
【００２９】
（２）有線ブリッジ適応型装置は、ＨＬ２バスを介して別の有線ブリッジ適応型装置へパケットを送信する。
【００３０】
（１）無線装置へのパケット送信について
ブリッジ適応型装置（例えば、ノード１）が要求サブアクションパケットをＨＬ２装置（例えば、ノード３）へ送信するとき、要求サブアクションパケットには以下の遅延：
・無線ブリッジ１内部要求転送時間（基本的に内部スイッチング・ファブリックの処理時間である。）
・ＨｉｐｅｒＬＡＮ／２ネットワーク内の伝送時間
が発生する。
【００３１】
同様に、ブリッジ適応装置（例えば、ノード１）が応答サブアクションパケットをＨＬ２装置（例えば、ノード３）へ送信するとき、応答サブアクションパケットには以下の遅延：
・無線ブリッジ１内部応答転送時間（基本的に内部スイッチング・ファブリックの処理時間である。）
・ＨｉｐｅｒＬＡＮ／２ネットワーク内の伝送時間（ＨＬ２要求サブアクション伝送時間と同一である。）
が発生する。
【００３２】
（２）有線装置へのＨＬ２経由のパケット送信について
有線ブリッジ適応型装置（例えば、ノード１）がＨＬ２を介して要求サブアクションパケットを別の有線ブリッジ適応型装置（例えば、ノード２）へ送信するとき、要求サブアクションパケットには以下の遅延：
・無線ブリッジ１内部要求転送時間（基本的に内部スイッチング・ファブリックの処理時間である。）
・ＨｉｐｅｒＬＡＮ／２ネットワーク内の伝送時間
・無線ブリッジ２内部要求転送時間
が発生する。
【００３３】
同様に、有線ブリッジ適応装置（例えば、ノード１）がＨＬ２を介して応答サブアクションパケットを別の有線ブリッジ適応型装置（例えば、ノード２）へ送信するとき、応答サブアクションパケットには以下の遅延：
・無線ブリッジ１内部応答転送時間（基本的に内部スイッチング・ファブリックの処理時間である。）
・ＨｉｐｅｒＬＡＮ／２ネットワーク内の伝送時間（ＨＬ２要求サブアクション伝送時間と同一である。）
・無線ブリッジ２内部要求転送時間
が発生する。
【００３４】
以下の機構が提案される。
【００３５】
１）無線ブリッジがタイムアウト（ＴＩＭＥＯＵＴ）要求メッセージ（オペレーションコードｏｐｃｏｄｅ＝ＴＩＭＥＯＵＴ，ｑ＝ＲＥＱＵＥＳＴ）を取得したとき、無線ブリッジは、タイムアウト（ＴＩＭＥＯＵＴ）ブリッジ管理メッセージの宛先識別子（ｄｅｓｔｉｎａｔｉｏｎ＿ｉｄ）フィールドを検査する。
【００３６】
宛先識別子・バス識別子ｄｅｓｔｉｎａｔｉｏｎ＿ｉｄ．ｂｕｓ＿ｉｄフィールドがＨＬ２バスのバス識別子（ｂｕｓ＿ｉｄ）である場合、無線ブリッジは、固有の最大要求転送時間ＭＡＸ＿ＲＱ＿ＦＯＲＷＡＲＤ＿ＴＩＭＥとＨＬ２最大伝送時間（１／２　ＨＬ２　ＴＳＴ＝１００ｍｓ）の合計で、最大要求ホールド時間ｍａｘ＿ｒｑ＿ｈｏｌｄ＿ｓｅｃｏｎｄｓフィールドと最大要求ホールドサイクルｍａｘ＿ｒｑ＿ｈｏｌｄ＿ｃｙｃｌｅｓフィールドを増加させる。ここで、ＴＳＴは、スプリットタイムアウトＳＰＬＩＴ＿ＴＩＭＥＯＵＴレジスタ値である。ＨＬ２の場合、この値は２００ｍｓに設定される（参考文献１３９４　ＳＳＣＳ　ＴＳを参照のこと）。
【００３７】
ブリッジポータルは、更に、ＴＩＭＥＯＵＴ要求メッセージの遠隔スプリットタイムアウト時間ｒｅｍｏｔｅ＿ｓｐｌｉｔ＿ｔｉｍｅｏｕｔ＿ｓｅｃｏｎｄｓフィールド及び遠隔スプリットタイムアウトサイクルｒｅｍｏｔｅ＿ｓｐｌｉｔ＿ｔｉｍｅｏｕｔ＿ｃｙｃｌｅｓフィールドを、対応したＨＬ２　ＳＰＬＩＴ＿ＴＩＭＥＯＵＴに設定する。なぜならば、ＨＬ２バスが宛先バスであるからである。これらの値は、ブリッジが無線宛先装置からの応答を待ち受ける時間間隔に対応する。
【００３８】
宛先識別子・バス識別子ｄｅｓｔｉｎａｔｉｏｎ＿ｉｄ．ｂｕｓ＿ｉｄフィールドがＨＬ２バスのバス識別子（ｂｕｓ＿ｉｄ）ではない場合（即ち、宛先識別子が無線ネットワークのもう一方の側である場合）、無線ブリッジは、固有の最大要求転送時間ＭＡＸ＿ＲＱ＿ＦＯＲＷＡＲＤ＿ＴＩＭＥとＨＬ２最大伝送時間の半分（１／２（１／２　ＨＬ２　ＴＳＴ）＝５０ｍｓ）の合計で、最大要求ホールド時間ｍａｘ＿ｒｑ＿ｈｏｌｄ＿ｓｅｃｏｎｄｓフィールドと最大要求ホールドサイクルｍａｘ＿ｒｑ＿ｈｏｌｄ＿ｃｙｃｌｅｓフィールドを増加させる。次に、ＴＩＭＥＯＵＴ要求メッセージは、次の無線ブリッジへ送信される（次の無線ブリッジは同様の処理を実行するので、無線伝送の最後に、ＴＩＭＥＯＵＴ要求メッセージは、ブリッジＭＡＸ＿ＲＱ＿ＦＯＲＷＡＲＤ＿ＴＩＭＥとＨＬ２最大伝送時間の両方が累積している。）。
【００３９】
２）同様に、無線ブリッジがタイムアウト（ＴＩＭＥＯＵＴ）応答メッセージ（オペレーションコードｏｐｃｏｄｅ＝ＴＩＭＥＯＵＴ，ｑ＝ＲＥＳＰＯＮＳＥ）を取得したとき、無線ブリッジは、タイムアウト（ＴＩＭＥＯＵＴ）ブリッジ管理メッセージの宛先識別子（ｄｅｓｔｉｎａｔｉｏｎ＿ｉｄ）フィールドを検査する（参考文献Ｄ０．１１のセクション６．４を参照のこと）。
【００４０】
宛先識別子・バス識別子ｄｅｓｔｉｎａｔｉｏｎ＿ｉｄ．ｂｕｓ＿ｉｄフィールドがＨＬ２バスのバス識別子（ｂｕｓ＿ｉｄ）である場合、無線ブリッジは、固有の最大応答転送時間ＭＡＸ＿ＲＥＳＰ＿ＦＯＲＷＡＲＤ＿ＴＩＭＥとＨＬ２最大伝送時間（１／２　ＨＬ２　ＴＳＴ＝１００ｍｓ）の合計で、最大応答ホールド時間ｍａｘ＿ｒｅｓｐ＿ｈｏｌｄ＿ｓｅｃｏｎｄｓフィールドと最大応答ホールドサイクルｍａｘ＿ｒｅｓｐ＿ｈｏｌｄ＿ｃｙｃｌｅｓフィールドを増加させる。
【００４１】
宛先識別子・バス識別子ｄｅｓｔｉｎａｔｉｏｎ＿ｉｄ．ｂｕｓ＿ｉｄフィールドがＨＬ２バスのバス識別子（ｂｕｓ＿ｉｄ）ではない場合（即ち、宛先識別子が無線ネットワークのもう一方の側である場合）、無線ブリッジは、固有の最大応答転送時間ＭＡＸ＿ＲＥＳＰ＿ＦＯＲＷＡＲＤ＿ＴＩＭＥとＨＬ２最大伝送時間の半分との合計（１／２（１／２　ＨＬ２　ＴＳＴ）＝５０ｍｓ）で、最大応答ホールド時間ｍａｘ＿ｒｅｓｐ＿ｈｏｌｄ＿ｓｅｃｏｎｄｓフィールドと最大応答ホールドサイクルｍａｘ＿ｒｅｓｐ＿ｈｏｌｄ＿ｃｙｃｌｅｓフィールドを増加させる。次に、ＴＩＭＥＯＵＴ要求メッセージは、次の無線ブリッジへ送信される（次の無線ブリッジは同様の処理を実行するので、無線伝送の最後に、ＴＩＭＥＯＵＴ応答メッセージは、ブリッジＭＡＸ＿ＲＥＳＰ＿ＦＯＲＷＡＲＤ＿ＴＩＭＥとＨＬ２最大伝送時間の両方が累積している。）。
【００４２】
要約して説明すると、第１のＨｉｐｅｒＬＡＮ／２バスブリッジＩ、無線ＨｉｐｅｒＬＡＮ／２ネットワークＢ、及び、第２のＨｉｐｅｒＬＡＮバスブリッジＩＩを経由した有線１３９４バスＡと有線１３９４バスＣとの間の非同期トラヒックの場合、ＨｉｐｅｒＬＡＮ（ＨＬ）ブリッジＩは、無線バスＢの最大伝送時間に前半部分を加え、ＨｉｐｅｒＬＡＮ（ＨＬ）ブリッジＩＩは、無線バスＢの最大伝送時間に後半部分を加える。無線ブリッジＩを経由した有線１３９４バスＡ装置とＨｉｐｅｒＬＡＮ（ＨＬ）２バス装置との間のトラヒックの場合、ＨＬブリッジＩは無線バスＢの最大伝送遅延の全部を固有の内部最大転送時間に加える。
【００４３】
最大伝送遅延を最大転送時間に加えることによって、ブリッジ適応型ノードから無線ネットワークの特殊な特性を見えなくすることが可能になる。この場合、要求が有線、ＩＥＥＥ１３９４．１準拠式ブリッジ、又は、ＨｉｐｅｒＬＡＮ／２方式ブリッジの何れを経由してルーティングされても、その違いは検出されない。
【００４４】
実施例では、ブリッジ適応型ノードは、Ｐ１３９４．１方式のブリッジ−コマンド機構だけを使用して、ＨｉｐｅｒＬＡＮ／２ブリッジを介して、途切れること無く（シームレスに）動作することができる。
【図面の簡単な説明】
【図１】
本発明の一実施例によるネットワークの説明図である。
【図１】
2004515095.tif 000003
【国際公開パンフレット】
2004515095.tif 000004
2004515095.tif 000005
2004515095.tif 000006
2004515095.tif 000007
2004515095.tif 000008
2004515095.tif 000009
2004515095.tif 000010
2004515095.tif 000011
2004515095.tif 000012
2004515095.tif 000013
2004515095.tif 000014
2004515095.tif 000015
【国際調査報告】
2004515095.tif 000016
2004515095.tif 000017